(57)【特許請求の範囲】
【請求項１】
複数個並列された容器の上面を覆うトップパネルと、このトップパネルの両側部に連設され前記容器列の側部を覆う左右のサイドパネルと、これらサイドパネルの先端に連接され互いに係着し得る係止部を有するボトムパネルとを備え、前記ボトムパネルを係着することにより前記容器の上部、側部、および下部を囲繞して包装するパック用シートにおいて、前記サイドパネルの上下端部を内側に折り込むことにより前記トップパネル及びボトムパネルの隅部との間に容器の脱落防止用のトップガゼットおよびボトムガゼットがそれぞれ形成されるとともに、
該トップガゼットにトップパネルとの連設部から下側となる位置に該連設部と略平行する切取線を設け、この切取線が切れ目部分と切れ目のない部分とを有し、該切取線を切断することによりパック内の容器を取出せるようにしたことを特徴とするパック用シート。
【発明の詳細な説明】
【０００１】
【発明の属する技術分野】
本発明は、例えば缶ビールや缶ジュース等の多数の容器を並列した状態のまま包装するとともに、包装された容器からは個々の容器が容易に取り出せることを可能としたパック用シートに関する。
【０００２】
【従来の技術】
従来から缶ビールや缶ジュース等を纏め売りするために、これらの容器を複数個１列あるいは複数列で起立状態に整列させて置き、つぎに容器の上部、側部、および下部を囲繞して包装するようにした紙製のパック用シートが採用されており、これにより多数の缶類を１個の包装体とすることで１挙に運搬できることから前記パック用シートによる包装が広く普及されている。
【０００３】
このような１個のパック用シートに収納された缶ビール等は例えば卸元から小売り店等に引き渡す場合には通常１個のカートンケース内に手前側の開口部のフラップを開いてパック用シートでパックされた缶パック４個を２列２行に収納して搬出するようにしている。
【０００４】
【発明が解決しようとする課題】
したがって小売り店等においては逆にカートンケース内に納められた缶入りのパック用シートを個々に取出す作業が必要となる。
【０００５】
この場合は前述とは逆の作業でカートンケースからは側面に設けられている開口面の上下のフラップを開いて手前の左右から１パックずつ引き出し、続いて奥の左右から１個ずつ引き出すようにしている。
【０００６】
しかしながら消費者からは、カートンケースからパック用シートを引き出すことよりも、カートンケースに収納されたパック用シートから直接缶を取出せるようにする方が望まれている。
【０００７】
ところが現状では缶をカートンケース内で包装されたパック用シートから直接取り出すことは難しく、またカートンケース内にぎっしり詰まった状態からパック用シートをそのまま引き出すことも難しい状況であるので消費者からのクレームが多く、問題となっていた。
【０００８】
本発明は上記従来の問題の対策として、能率的にカートンケース内のパック用シートから缶を直接容易に取出せるようにしたパック用シートを提供することにある。
【０００９】
【課題を解決するための手段】
上記課題を解決する手段として本発明は、複数個並列された容器の上面を覆うトップパネルと、このトップパネルの両側部に連設され前記容器列の側部を覆う左右のサイドパネルと、これらサイドパネルの先端に連設され互いに係着し得る係止部を有するボトムパネルとを備え、前記ボトムパネルを係着することにより前記容器の上部、側部、および下部を囲繞して包装するパック用シートにおいて、前記サイドパネルの上下端部を内側に折り込むことにより前記トップパネルおよびボトムパネルの隅部との間に容器の脱落防止用のトップガゼットおよびボトムガゼットがそれぞれ形成されるとともに、該トップガゼットにサイドパネルとの連設部から下側となる位置に該連設部と略平行する切取線を設けてなり、該切取線を切断することによりパック内の容器を取出せるようにしたことにある。
【００１０】
これによりパック用シートをカートンケースより引出す際にシートに設けたガゼットの切取線を破ることによりカートンケースにぎっしり詰まったパック用シートにおいても個々の容器の取出しが容易に行える。
【００１１】
【発明の実施の形態】
以下、本発明を図面に示す実施の形態を参照して説明する。
【００１２】
図１は本発明のパック用シートの一例で、容器として５００ｃｃ入りの缶ビール６缶がシート１により包装された状態の斜視図を示すもので、符号２はシート１のトップパネル、符号３はシート１のサイドパネル、また符号２１はシート１に包装された缶類の容器である。
【００１３】
図２は図１に示したパック用シート１の展開図で、横長に矩形状を有し、図における中央部分はトップパネル２に、その左側部分はサイドパネル３に、右側部分はサイドパネル４に、そしてサイドパネル３の先端側となる左側部分はボトムパネル５に、サイドパネル４の先端側となる右側部分はボトムパネル６にそれぞれ形成されている。
【００１４】
トップパネル２は直列３個を並列に起立状態に整列させたビール缶６個の上面を覆うように縦辺１ａはビール缶３本分、横方向は２本分の長さからなる面積を有し、トップパネル２の両側にはビール缶の側部を覆うようにその高さに相当する幅を有するサイドパネル３，４がそれぞれ境界線をなす折り線２ａ，２ｂを介して連設されている。
【００１５】
ボトムパネル５、６はビール缶の底部を覆うように設けられているもので、ボトムパネル５はサイドパネル３と、ボトムパネル６はサイドパネル４とそれぞれ境界線をなす折り線３ａ，４ａを介して連設されている。
【００１６】
ボトムパネル５、６には先端部に互いに係着し得る雌側の係止部７、および雄側の係止部８がそれぞれ設けられており、ボトムパネル５側の係止部７は、先端部を形成するパック用シート１の一方の縦辺１ａに平行な第１係止部７ａと、その内側に同じく縦辺１ａに平行に設けられた第２係止部７ｂとからなり、これら第１係止部７ａ、第２係止部７ｂは縦辺１ａの中央とその両端側の３個所にそれぞれ設けられている。
【００１７】
この実施形態では第１係止部７ａの形状は切抜かれた縦長の四角孔となっていて、その孔の一辺ａが係合部に形成され、第２係止部７ｂの形状は切り込みとなっている。
【００１８】
これに対しボトムパネル６側の雄側の係止部８は、前記第１係止部７ａ、および第２係止部７ｂとにそれぞれ係着し得るよう他方の縦辺１ａ上の中心とその両端側に設けた第１係止部８ａと、その係止部８ａのからそれぞれ外側へ突出させて設けた３個所の第２係止部８ｂとからなっている。
【００１９】
そしてこの実施形態では第１係止部８ａの形状は縦辺１ａに平行な直線で中央が内側に凹部ｂとなる切り込みとなっており、第２係止部８ｂの形状は第１係止部８ａの幅から縦辺１ａの外側へ先細りとなって首部ｄに至りこれに続く先端は首部ｄより幅のある頭部ｃに形成されている。
【００２０】
また前記サイドパネル３，４の横辺１ｂ側の各端部には内側に折り込んで前記トップパネル２、およびボトムパネル５、６の隅部との間にビール缶の脱落を防ぐためのガゼット１０ａ，１０ｂを構成する折り込み片９が境界線をなす折り線３ｂ，４ｂを介して連設されている。
【００２１】
図中、符号１１はコンプレッションホール（６個所）、符号１２ａはトップパネル２との境界となる山折り線、符号１２ｂは折り込み片９との境界をなす谷折り線、符号１３ａはトップガゼットホール（４個所）、符号１３ｂはボトムガゼットホール（４個所）、符号１５は缶が内装されたパック用シート１を持ち上げるためのフィンガーホール（２個所）、符号１６はロット確認窓である。
【００２２】
ここで前記折り込み片９が折り線３ｂ，４ｂを介して内側に折り込まれたときトップガゼット１０ａおよびボトムガゼット１０ｂは山折り線１２ａおよび谷折り線１２ｂにより外側になるように折り込まれる（図１参照）。
【００２３】
そしてトップガゼット１０ａにはトップパネル２との連設部である山折り線１２ａから下側となる部分のトップガゼット１０ａの領域内に山折り線１２ａに略平行する切取線１７が設けられている。
【００２４】
この切取線１７の長さは一端がトップガゼット１０ａの外端まで、他端がトップガゼットホール１３ａに至るまでとなっている。
【００２５】
この場合切取線１７の形状は切れ目部分と切れ目のない部分とが等間隔（ミシン目）、あるいは切れ目部分を長く、切れ目のない部分を短かくした不等間隔とする適宜の形状であってもよい。そして切取線１７を設ける個所も少なくともトップガゼット１０ａの左右および前後は必要であるが、必要に応じてボトムガゼット１０ｂにも設けるようにしてもよい。
【００２６】
つぎに作用を説明する。
【００２７】
まず図２に示したパック用シート１を裏返して、そのトップパネル２部分の上部にビール缶６本の底部を上向きとして直列した３本を並列させて載置する。
【００２８】
そのうえでビール缶の側部を覆うようにサイドパネル３，４を折り線２ａ，２ｂを境界線として内側に折り、さらにビール缶の底部を覆うようにボトムパネル５、および６を折り線３ａ，４ａを境界線として内側に折り、ボトムパネル６の縦辺１ａに設けられている雄側の第２係止部８ｂを頭部ｃからボトムパネル５側の縦辺１ａに設けられている雌側の第１係止部７ａの孔を通して第２係止部７ｂと互いに係着させて第１係止部８ａの首部ｄで抜け止めするとともに、雄側の第１係止部８ａの凹部ｂを雌側の第１係止部７ａの横長の四角孔を形成する一辺ａに係着させることによりパック用シート１は無端状態に形成されてビール缶に帯がかかった状態の缶入りパックとなる。
【００２９】
このとき各折り込み片９を内側に折り込むと山折り線１２ａおよび谷折り線１２ｂとによってトップパネル２とサイドパネル３，４との隅部にトップガゼット１０ａが、またサイドパネル３，４とボトムパネル５，６との隅部にボトムガゼット１０ｂがそれぞれ形成され、これによりパック用シート１に包装されたビール缶２１の抜け止めがなされる。
【００３０】
このときトップガゼット１０ａにはトップパネル２との連設部である山折り線１２ａに略平行な切取線１７が設けられている状態が図１に示すように目視できる。したがってこの切取線１７に指を当ててトップガゼット１０ａを切り裂くと、ビール缶等の抜け止めが解除されるからバック用シート１から容器であるビール缶２１のうちのまず１個を取出すことが可能となる。そして１個を取出した後は連続的に残りの５個を取出すことにより、このパック用シート１内を空にすることができる。
【００３１】
図３は図１のような缶入りのパック用シート１を内装するカートンケース２０の斜視図を示すもので、この中には図４に示すようにパック用シート１が直列および並列に４個収納されるような大きさとなっており、４個を収納するときには短手側面の上下・左右のフラップ２０ａ，２０ｂを開いて図４の状態に押込んだのちフラップ２０ａ，２０ｂを閉じて収納が終了する。
【００３２】
このように収納されたカートンケース２０からパック用シート１を引出す場合は、図４に示すようにフラップ２０ａ，２０ｂを開くと、パック用シート１のトップガゼット１０ａは必ず手前側に位置するように包装されているから、このトップガゼット１０ａに設けられている切取線１７（図１参照）に指を当ててトップガゼット１０ａを切り裂くことにより上述したようにビール缶２１を連続的に取出すことができる。したがってカートンケース２０から引出し難いパック用シート１を引き出す場合よりもトップガゼット１０ａを破って抜け止めを解除すればビール缶２１が直接取出されるので取出し作業が容易にかつ効率的に行える。なお本発明の実施形態ではビール缶の包装の場合について説明したが、ビール缶の包装に限定したものでなく、ジュース缶、コーラ缶等の外、缶以外の例えば小瓶ドリンク等瓶の包装の場合にもこれに適した大きさのパック用シートを使用することにより実施可能である。
【００３３】
またボトムパネル同士の結合に用いた係止部についてもこの実施形態に限定したものではなく、適宜変更することは自由である。
【００３４】
【発明の効果】
本発明は以上説明したように構成したからつぎのような効果が得られる。
【００３５】
１）パック用シートをカートンケースより引出す際に、缶の抜け止めであるトップガゼットの切取線を指で切り裂くことによりパック用シートにより包装された個々の容器を容易に取出せるので、取出し作業が容易にかつ効率的に行え、したがって従来のように、まずパック用シートをカートンケースより引出したのち、パック用シートから容器を取り出すような２重の手間は不要となる。
【００３６】
２）また従来のパック用シートにはトップパネル部分の広範囲にパック解体用のミシン目が設けられていたので、このミシン目は包装されたパック用シートを持ち上げる際の強度を不足させるともに、カートンケース内のパック用シートから容器を取出す際には、少なくともトップパネル部分が充分露出する程度に引出してミシン目を切り裂かなければならなかったが、本発明の場合はパック用シートの手前側にトップガゼットが位置しているからカートンケースのフラップを開いた時点でパック用シート内の容器の取出しが行える利点がある。しかもハンドリングした場合の吊り上げ強度も確保できる。
【００３７】
３）さらに本発明によるパック用シートは従来のものと比較して機能・強度を損なうことなく、設備の改造等を必要とせずに行えるのでコストアップもない。
【図面の簡単な説明】
【図１】本発明にかかるパック用シートにより包装された缶類を示す斜視図。
【図２】本発明にかかるパック用シートの展開図。
【図３】本発明のパック用シートにより包装された缶類を収納するカートンケースを示す斜視図。
【図４】図３のカートンケース内に収納された複数個のパック用シートの状態を示す斜視図。
【符号の説明】
１  パック用シート
２  トップパネル
３，４  サイドパネル
５，６  ボトムパネル
７ａ，７ｂ，８ａ，８ｂ  係止部
１０ａ，１０ｂ  ガゼット
１２ａ  連設部となる山折り線
１７  切取線
２１  容器（缶）
【図１】
0003540207.tif 000002
【図２】
0003540207.tif 000003
【図３】
0003540207.tif 000004
【図４】
0003540207.tif 000005